(57)【要約】【課題】ポスターを作成する複数の印刷物の繋ぎ目が配置される位置によっては、人間がポスター全体を見たときの視認性が悪化することがあった。【解決手段】画像形成装置１０は、ポスター印刷ジョブから取出した原稿画像に基づいて、複数の印刷物の繋ぎ目を配置可能な第１領域を特定する第１領域特定部３１と、原稿画像に含まれ、位置が特定される単位領域毎に原稿画像の全体に対する顕著度を算出する顕著度算出部３２と、第１領域を通り、かつ、顕著度が高い単位領域を通らない位置を、繋ぎ目を配置する繋ぎ目位置として決定する繋ぎ目位置決定部３３と、を備える。【選択図】図３
2019119164.tif 000002
【特許請求の範囲】
【請求項１】
複数の印刷物を繋ぎ合わせて作成されるポスターを印刷するためのポスター印刷ジョブから取出した原稿画像に基づいて、前記複数の印刷物の繋ぎ目を配置可能な第１領域を特定する第１領域特定部と、
前記原稿画像に含まれ、位置が特定される単位領域毎に前記原稿画像の全体に対する顕著度を算出する顕著度算出部と、
前記第１領域を通り、かつ、前記顕著度が高い前記単位領域を通らない位置を、前記繋ぎ目を配置する繋ぎ目位置として決定する繋ぎ目位置決定部と、を備える
画像形成装置。
【請求項２】
前記顕著度算出部は、前記原稿画像から求めたエッジ情報、輝度情報、又は色相情報のうちの少なくとも一つを抽出し、抽出した前記エッジ情報、前記輝度情報、又は前記色相情報のうちの少なくとも一つに基づいて前記単位領域毎に前記顕著度を算出する
請求項１に記載の画像形成装置。
【請求項３】
前記顕著度算出部は、前記原稿画像を複数回サンプリングして得た複数の画像を、それぞれ前記原稿画像と同じサイズに拡大した第１画像群を作成し、
前記第１画像群に含まれる各画像のエッジの特徴を抽出した第２画像群を作成し、
前記第１画像群に含まれる各画像の輝度の特徴を抽出した第３画像群を作成し、
前記第１画像群に含まれる各画像の色相の特徴を抽出した第４画像群を作成し、
前記第２画像群、前記第３画像群、又は前記第４画像群の少なくとも一つに基づいて前記単位領域毎に顕著度を算出する
請求項２に記載の画像形成装置。
【請求項４】
さらに、ユーザーにより指定されたポスター背景色を取得する背景色取得部と、
前記原稿画像にて、予め規定される閾値よりも前記顕著度が高い第２領域を特定する第２領域特定部を備える
請求項３に記載の画像形成装置。
【請求項５】
前記繋ぎ目位置決定部は、前記ポスター背景色が指定されている場合に、前記第１領域を通り、かつ前記第２領域を通らない位置を前記繋ぎ目位置として特定し、特定した前記繋ぎ目位置について、前記原稿画像に前記ポスター背景色の繋ぎ目を描画した画像の前記単位領域毎に前記顕著度を算出し、前記繋ぎ目位置における前記顕著度の合計値が最小となる位置を前記繋ぎ目位置として決定する
請求項４に記載の画像形成装置。
【請求項６】
前記背景色取得部は、ユーザーにより選択された印刷モードが通常印刷である場合に、前記ユーザーにより指定された、前記印刷物が貼られる壁の壁色を前記ポスター背景色として取得する
請求項４又は５に記載の画像形成装置。
【請求項７】
前記背景色取得部は、ユーザーにより選択された印刷モードが糊しろ付き印刷である場合に、前記ユーザーにより指定された、前記印刷物が作成される用紙の紙色を前記ポスター背景色として取得する
請求項４又は５に記載の画像形成装置。
【請求項８】
前記繋ぎ目位置決定部は、前記ポスター背景色が指定されていない場合に、前記第１領域を通り、かつ前記第２領域を通らない位置における前記顕著度の合計値が最小となる位置を前記繋ぎ目位置として決定する
請求項４に記載の画像形成装置。
【請求項９】
前記背景色取得部は、ユーザーにより選択された印刷モードが通常印刷であるにもかかわらず壁色が指定されなかった場合、前記ユーザーにより選択された前記印刷モードが糊しろ付き印刷であるにもかかわらず、前記印刷物が作成される用紙の紙色が指定されなかった場合、又は前記ユーザーにより選択された前記印刷モードが重ね有り印刷である場合には、前記ポスター背景色が指定されていないと判断する
請求項４に記載の画像形成装置。
【請求項１０】
複数の印刷物を繋ぎ合わせて作成されるポスターを印刷するためのポスター印刷ジョブから取出した原稿画像に基づいて、前記複数の印刷物の繋ぎ目を配置可能な第１領域を特定する第１領域特定部と、
前記原稿画像に含まれ、位置が特定される単位領域毎に前記原稿画像の全体に対する顕著度を算出する顕著度算出部と、
特定された前記第１領域を通り、かつ、前記顕著度が高い前記単位領域を通らない位置を、前記繋ぎ目を配置する繋ぎ目位置として決定する繋ぎ目位置決定部と、
前記ポスター印刷ジョブに基づいて前記印刷物を作成する画像形成装置に対して、前記ポスター印刷ジョブを送信すると共に、前記繋ぎ目位置決定部により決定された前記繋ぎ目位置を指示するジョブ送信部と、を備える
情報処理装置。
【発明の詳細な説明】
【技術分野】
【０００１】
本発明は、画像形成装置及び情報処理装置に関する。
【背景技術】
【０００２】
従来、例えば、ＰＣ（Personal Computer）端末から入力される原稿画像を分割して印刷し、複数の印刷物を繋ぎ合わせて貼ることで１枚のポスターを作成するワークフローが存在する。ところで、複数の印刷物を繋ぎ合わせて１枚のポスターを作成する際には、隣り合った用紙の端がズレやすく、印刷物の繋ぎ目が見えやすい。印刷物の繋ぎ目の位置や色によっては、ポスターの視認性が低下する要因となる。そこで、印刷物の繋ぎ目を調整する技術として、以下の特許文献１及び２に開示された技術が知られていた。
【０００３】
特許文献１には、印刷対象である原稿画像から抽出したオブジェクトが用紙に収まるようにレイアウトして複数枚の用紙を印刷する技術が開示されている。
【０００４】
特許文献２には、原稿画像の所定範囲内における単調画像領域に分割線を設定して、原稿画像を記録材のサイズ以下の個々の領域に分割する技術が開示されている。
【先行技術文献】
【特許文献】
【０００５】
【特許文献１】特開２０１５−８７９７４号公報
【特許文献２】特開２００１−３０９１６１号公報
【発明の概要】
【発明が解決しようとする課題】
【０００６】
特許文献１に開示された技術では、原稿画像に含まれるオブジェクトを避けるように繋ぎ目が配置されるため、視認性が向上すると考えられていた。しかし、一般的にポスターには多数のオブジェクトが含まれており、全てのオブジェクトを避けて繋ぎ目を配置することは難しい。また、特許文献１に開示された技術では、オブジェクトの色が、オブジェクトに隣接する背景色に近いか否かという局所的な観点で画素を評価し、繋ぎ目位置が決定される。このため、決定された繋ぎ目がオブジェクトを通らざるを得ない場合、人間がポスター全体を見た際の視認性が悪化していた。
【０００７】
特許文献２に開示された技術では、原稿画像に含まれるエッジを抽出し、エッジとの交差数が最小となるように繋ぎ目が配置される。このため、特許文献２に開示された技術は、各用紙に形成される画像の位置が大きくずれる場合に、繋ぎ目上のエッジもずれてしまい視認性が低下することを防止する。しかし、ポスターの視認性を左右する要素はエッジ以外にも存在しており、エッジのずれが生じない場合の視認性の悪化に関して全く考慮されていなかった。例えば、濃淡が少ない背景部分にはエッジが検出されない場合も多いが、濃い色の背景では白色の繋ぎ目が見えやすくなってしまう。
【０００８】
本発明はこのような状況に鑑みて成されたものであり、複数の印刷物を繋ぎ合わせて作成するポスターの視認性を向上することを目的とする。
【課題を解決するための手段】
【０００９】
上述した目的のうち少なくとも一つを実現するために、本発明の一側面を反映した画像形成装置は、複数の印刷物を繋ぎ合わせて作成されるポスターを印刷するためのポスター印刷ジョブから取出した原稿画像に基づいて、複数の印刷物の繋ぎ目を配置可能な第１領域を特定する第１領域特定部と、原稿画像に含まれ、位置が特定される単位領域毎に原稿画像の全体に対する顕著度を算出する顕著度算出部と、特定された第１領域を通り、かつ、顕著度が高い単位領域を通らない位置を、繋ぎ目を配置する繋ぎ目位置として決定する繋ぎ目位置決定部と、を備える。
なお、上記の画像形成装置は本発明の一態様であり、本発明の一側面を反映した情報処理装置についても、本発明の一側面を反映した画像形成装置と同様の構成を有する。
【発明の効果】
【００１０】
本発明によれば、原稿画像の全体に対して単位領域毎に顕著度を算出し、人間の視覚的に顕著な反応を示す領域を避けて繋ぎ目を配置するため、複数の印刷物を繋ぎ合わせて作成するポスターの視認性の低下を防ぐことが可能となる。
上記した以外の課題、構成及び効果は、以下の実施の形態の説明により明らかにされる。
【図面の簡単な説明】
【００１１】
【図１】本発明の第１の実施の形態に係る画像形成システムの構成例を示す概要図である。
【図２】本発明の第１の実施の形態に係る画像形成装置のハードウェア構成例を示す概要図である。
【図３】本発明の第１の実施の形態に係る画像形成装置の内部構成例を示す機能ブロック図である。
【図４】本発明の第１の実施の形態に係る画像処理部の内部構成例を示す機能ブロック図である。
【図５】３種類の印刷モードにより印刷された印刷物の例を示す説明図である。
【図６】本発明の第１の実施の形態に係る第１領域の例を示す説明図である。
【図７】本発明の第１の実施の形態に係る平面に並べた４枚の用紙内で原稿画像をシフトさせる例を示す説明図である。
【図８】本発明の第１の実施の形態に係る原稿画像から作成される顕著性マップと、顕著性マップから特定される第２領域の例を示す説明図である。
【図９】本発明の第１の実施の形態に係るポスター背景色の指定がない場合に決定される用紙の繋ぎ目位置の例を示す説明図である。
【図１０】本発明の第１の実施の形態に係るポスター背景色に白色が指定された場合に、白色の繋ぎ目を描画した原稿画像に基づいて顕著性マップを作成する例を示す説明図である。
【図１１】本発明の第１の実施の形態に係る印刷物の繋ぎ目位置を決定する処理の例を示すフローチャートである。
【図１２】本発明の第１の実施の形態に係る画像処理部が顕著性マップを作成する処理の例を示すフローチャートである。
【図１３】本発明の第１の実施の形態に係る背景色取得部が記憶部からポスター背景色を取得する処理の例を示すフローチャートである。
【図１４】本発明の第２の実施の形態に係る画像形成システムの構成例を示す概要図である。
【図１５】本発明の第２の実施の形態に係る情報処理装置の内部構成例を示すブロック図である。
【発明を実施するための形態】
【００１２】
以下、本発明を実施するための形態例について、添付図面を参照して説明する。本明細書及び図面において、実質的に同一の機能又は構成を有する構成要素については、同一の符号を付することにより重複する説明を省略する。
【００１３】
＜第１の実施の形態＞
図１は、画像形成システム１の構成例を示す概要図である。
画像形成システム１は、通信ネットワークＮに接続されたＰＣ端末２と画像形成装置１０を備える。
【００１４】
ＰＣ端末２は、ジョブを画像形成装置１０に送信する。本実施の形態において、ＰＣ端末２から送信されるジョブは、複数の印刷物を繋ぎ合わせて作成されるポスターを印刷するためのポスター印刷ジョブである。
【００１５】
画像形成装置１０は、ＰＣ端末２から受信したジョブに基づいて、用紙に画像を形成した印刷物を作成する。本実施の形態において、画像形成装置１０は、人間の視認性が悪化しないような位置に決定した繋ぎ目位置を繋ぎ目として複数の印刷物を作成する。
【００１６】
＜画像形成装置のハードウェア構成例＞
図２は、画像形成装置１０のハードウェア構成例を示す概要図である。
画像形成装置１０は、静電気を用いて画像の形成を行う電子写真方式を採用しており、例えばイエロー（Ｙ）、マゼンタ（Ｍ）、シアン（Ｃ）、ブラック（Ｋ）の４色のトナー画像を重ね合わせるタンデム形式のカラー画像形成装置である。この画像形成装置１０は、手差しトレイ２０、自動原稿給紙装置２１、操作表示部２２、給紙部２３、画像形成部２４、中間転写ベルト２５（像担持体）、２次転写部２７、定着部２８、搬送部２９及び排紙トレイ３０とを有する。
【００１７】
手差しトレイ２０は、給紙部２３に収納されていない種類の用紙Ｐに画像を形成する場合に、画像形成装置本体から引き出されて使用される。手差しトレイ２０は、水平方向に対して上向きに所定の角度で傾斜しており、複数枚の用紙Ｐを積載することが可能である。そして、手差しトレイ２０から画像形成装置本体内の搬送路Ｃに用紙Ｐが給紙される。
【００１８】
自動原稿給紙装置２１は、原稿の読み取りに際して、原稿を自動給送する。自動原稿給紙装置２１の下側に設けられたスキャナー２１ａは、画像形成装置１０の上部のプラテンガラスに置かれた原稿や、自動原稿給紙装置２１で自動搬送される原稿の画像を読み取ることができる。
【００１９】
操作表示部２２は、例えば画像形成処理等のジョブの開始を指示する操作部としての機能を備えている。操作表示部２２は、ＬＣＤ（Liquid Crystal Display）等を含むタッチパネルで構成されており、ユーザーによる操作、及び情報の表示が可能である。操作表示部２２は、操作部と表示部を兼用している。なお、操作部をマウスやタブレット等で構成し、表示部とは別体で構成することも可能である。
【００２０】
給紙部２３は、用紙サイズや用紙種類の異なる用紙を収納可能な複数の用紙収納部２３ａを備える。給紙部２３では、画像形成装置１０からの指示に基づいて該当する用紙収納部２３ａが選択されると、用紙収納部２３ａから用紙Ｐが取り出され、搬送路Ｃに用紙Ｐが送られる。
【００２１】
画像形成部２４は、イエロー、マゼンタ、シアン、ブラックの各色のトナー画像を形成するために、４つの画像形成ユニット２６Ｙ、２６Ｍ、２６Ｃ、２６Ｋを備えている。画像形成部２４は、画像形成部２４の画像形成ユニット２６Ｙ、２６Ｍ、２６Ｃ、２６Ｋの動作を制御して、イエロー、マゼンタ、シアン、ブラックのトナー画像を形成する。また、画像形成装置１０は、搬送部２９として搬送路Ｃに用紙Ｐを搬送するための複数のローラー（搬送ローラー）を備えている。これらのローラーは、通常、ローラー対により構成される。
【００２２】
画像形成装置１０は、画像形成モードにおいて、画像形成ユニット２６Ｙ、２６Ｍ、２６Ｃ、２６Ｋが有する感光体を帯電させると共に、露光して電荷を消去し、感光体に静電潜像を形成する。そして、イエロー、マゼンタ、シアン、ブラックの感光体の静電潜像に対し現像部を用いてトナーを付着させ、各色のトナー画像を形成する。次に、イエロー、マゼンタ、シアン、ブラックの感光体に形成されたトナー画像を、矢印方向へ回転する中間転写ベルト２５の表面に順次、１次転写する。
【００２３】
次に、給紙部２３から供給され、搬送部２９により所定の印刷速度で搬送される用紙Ｐに対して、２次転写部２７（２次転写ローラー）が、中間転写ベルト２５上に１次転写された各色のトナー画像を２次転写する。中間転写ベルト２５上の各色のトナー画像が用紙Ｐに２次転写されることにより、カラー画像が形成される。画像形成装置１０は、カラーのトナー画像が形成された用紙Ｐを、定着部２８へ搬送する。
【００２４】
定着部２８は、カラーのトナー画像が形成された用紙Ｐに定着処理を行う。定着部２８は、搬送部２９により搬送された用紙Ｐを所定の定着温度に加熱すると共に用紙Ｐを加圧して、用紙Ｐに転写されたトナー画像を用紙Ｐに定着させる。定着部２８は、例えば、定着部材である定着上ローラー及び定着下ローラーで構成されている。定着上ローラー及び定着下ローラーは、互いに圧接した状態で配置されており、定着上ローラーと定着下ローラーとの圧接部として定着ニップ部が形成される。
【００２５】
定着上ローラーの内部には、不図示の加熱部が設けられている。この加熱部からの輻射熱により定着上ローラーの外周部にあるローラー部が温められる。用紙Ｐは、２次転写部２７によりトナー画像が転写された面（定着対象面）が定着上ローラーと向き合うように定着ニップ部に搬送される。定着ニップ部を通過する用紙Ｐには、定着上ローラーと定着下ローラーとによる加圧と、定着上ローラーのローラー部の熱による加熱が行われる。定着部２８により定着処理が行われた用紙Ｐは、印刷物として排紙トレイ３０に排出される。
【００２６】
＜画像形成装置の内部構成例＞
図３は、画像形成装置１０の内部構成例を示す機能ブロック図である。
画像形成装置１０は、操作表示部２２、画像処理部１１、記憶部１２、印刷処理部１３、ジョブ受信部１４及び制御部１５を備える。
【００２７】
画像処理部１１は、記憶部１２に記憶されたポスター印刷ジョブから取出した原稿画像に対して所定の処理を行う。なお、画像処理部１１が行う処理は、ジョブ受信部１４がポスター印刷ジョブを受信すると直ちに行われてもよい。画像処理部１１の内部構成例は後述する図４に示し、画像処理部１１が行う処理の詳細については、後述する図５以降にて説明する。
【００２８】
記憶部１２は、例えば、ＲＡＭ（Random Access Memory）、ＨＤＤ（Hard Disk Drive）等であり、ジョブ受信部１４が受信したポスター印刷ジョブ、画像処理部１１が処理を行った原稿画像等の各種データを記憶する。ポスター印刷ジョブとは、複数の印刷物を繋ぎ合わせて作成されるポスターを印刷するためのジョブである。また、記憶部１２は、ユーザーにより操作表示部２２を通じて指定されたポスター背景色も記憶する。
【００２９】
印刷処理部１３は、ポスター印刷ジョブと、繋ぎ目位置決定部３３（後述する図４を参照）により決定された繋ぎ目位置に従って、画像処理部１１が分割した原稿画像の印刷処理を行う。このとき、印刷処理部１３により、上述した画像形成部２４、定着部２８、搬送部２９等の動作が制御され、原稿画像が複数の用紙に分割して印刷され、印刷物として排出される。そして、ユーザーは、排出された印刷物を繋ぎ合わせて壁等に貼ることで、複数の印刷物を１枚のポスターとして掲示することができる。
【００３０】
ジョブ受信部１４は、不図示のプリントコントローラー、ＰＣ端末等から受信したポスター印刷ジョブを受信し、このポスター印刷ジョブを記憶部１２に記憶させる。
【００３１】
制御部１５は、画像形成装置１０内の各部の動作を制御する。制御部１５の機能は、例えば、画像形成装置１０が備えるＣＰＵ（Central Processing Unit）が記憶部１２から読み出したプログラム、パラメーター等を実行することで実現される。
【００３２】
＜画像処理部の内部構成例＞
図４は、画像処理部１１の内部構成例を示す機能ブロック図である。
画像処理部１１は、第１領域特定部３１、顕著度算出部３２、繋ぎ目位置決定部３３、第２領域特定部３４、背景色取得部３５を備える。
【００３３】
第１領域特定部３１は、ポスター印刷ジョブから取出した原稿画像に基づいて、複数の印刷物の繋ぎ目を配置可能な第１領域を特定する。第１領域について、後述する図６及び図７にて詳細を説明するが、第１領域は、あくまで原稿画像を分割可能な領域を表すに過ぎない。そして、第１領域は、原稿画像の大きさに対する、用紙の大きさ及び枚数により変わる。本実施の形態では、１つの原稿画像を、この原稿画像より小さい４枚の用紙に分割して印刷した印刷物を得るようにする。
【００３４】
顕著度算出部３２は、原稿画像に含まれ、位置が特定される単位領域毎に原稿画像の全体に対する顕著度を算出する。単位領域とは、原稿画像の画素、又は、複数の画素を含む所定の大きさのブロックである。ここで、顕著度算出部３２は、原稿画像から求めたエッジ情報、輝度情報、又は色相情報のうちの少なくとも一つを抽出し、抽出したエッジ情報、輝度情報、又は色相情報のうちの少なくとも一つに基づいて単位領域毎に顕著度を算出する。
【００３５】
ここで、顕著度算出部３２は、原稿画像を複数回サンプリングして得た複数の画像を、それぞれ原稿画像と同じサイズに拡大した第１画像群を作成し、第１画像群に含まれる各画像のエッジの特徴を抽出した第２画像群を作成する。また、顕著度算出部３２は、第１画像群に含まれる各画像の輝度の特徴を抽出した第３画像群を作成し、第１画像群に含まれる各画像のＲ（赤）、Ｇ（緑）、Ｂ（青）、Ｙ（黄）の色相の特徴を抽出した第４画像群を作成する。そして、顕著度算出部３２は、第２画像群、第３画像群、又は第４画像群の少なくとも一つに基づいて単位領域毎に顕著度を算出する。また、顕著度算出部３２は、第４画像群に含まれるＲ（赤）、Ｇ（緑）の画像の差分を抽出した第５画像群と、第４画像群に含まれるＢ（青）、Ｙ（黄）の画像の差分を抽出した第６画像群とを作成する。そして、顕著度算出部３２は、第２画像群、第３画像群、第５画像群、第６画像群を正規化して合算することで顕著性マップを作成する。
【００３６】
本実施の形態において人間の視覚的な注目しやすさを「顕著性」と呼び、顕著性を数値で表した値を「顕著度」と呼ぶ。例えば、人間が対象物を見た際に人間の網膜が強く反応する部分は顕著度が高い。そして、顕著性マップとは、原稿画像の全体に対して、人間の視覚的な注目しやすさの度合い（顕著度）の分布を示す画像である。
【００３７】
繋ぎ目位置決定部３３は、第１領域特定部３１により特定された第１領域を通り、かつ、顕著度が高い単位領域を通らない位置を、繋ぎ目を配置する繋ぎ目位置として決定する。顕著度が高い単位領域を通らない位置に繋ぎ目位置が決定されるため、複数の印刷物の繋ぎ目に、人間の視覚的な注目が向かなくなる。このため、複数の印刷物を繋ぎ合わせたポスターの視認性を向上することができる。
【００３８】
また、繋ぎ目位置決定部３３は、ポスター背景色が指定されている場合に、第１領域を通り、かつ第２領域を通らない位置を、繋ぎ目位置として特定する。ポスター背景色は、後述する図５にて詳細を説明するが、印刷物が貼られる壁の色、用紙自体の紙色等であり、ユーザーにより指定される。複数の印刷物を繋ぎ合わせた繋ぎ目位置にポスター背景色が見えると原稿画像が切れるため、視認性が低下する。しかし、繋ぎ目位置決定部３３により、第１領域を通り、かつ第２領域を通らない位置に繋ぎ目位置が決定されることで、この繋ぎ目位置にポスター背景色が見えても視認性が低下しなくなる。
【００３９】
そして、繋ぎ目位置決定部３３は、特定した繋ぎ目位置について、原稿画像にポスター背景色の繋ぎ目を描画した画像の単位領域毎に顕著度を算出し、繋ぎ目位置における顕著度の合計値が最小となる位置を繋ぎ目位置として決定する。また、繋ぎ目位置決定部３３は、ポスター背景色が指定されていない場合に、第１領域を通り、かつ第２領域を通らない位置における顕著度の合計値が最小となる位置を繋ぎ目位置として決定する。このように顕著度の合計値が最小となる位置が繋ぎ目位置として決定されるため、複数の印刷物を繋ぎ合わせても、この繋ぎ目位置に人間の視覚的な注目が向かなくなり、視認性が低下しない。
【００４０】
第２領域特定部３４は、原稿画像にて、予め規定される閾値よりも顕著度が高い第２領域を特定する。第２領域を特定するために参照される閾値は、例えば、記憶部１２に記憶されている。そして、この閾値は、ユーザーによる操作表示部２２の操作によって任意に変更可能である。
【００４１】
背景色取得部３５は、操作表示部２２を通じてユーザーにより指定されたポスター背景色を取得する。背景色取得部３５は、操作表示部２２から入力されるポスター背景色を直接取得してもよいし、一旦記憶部１２に記憶されたポスター背景色を記憶部１２から読み出して取得してもよい。
【００４２】
そして、背景色取得部３５は、ユーザーにより選択された印刷モード（後述する図５を参照）が通常印刷である場合に、ユーザーにより指定された壁色をポスター背景色として記憶部１２から取得する。また、背景色取得部３５は、ユーザーにより選択された印刷モードが糊しろ付き印刷である場合に、ユーザーにより指定された用紙の紙色をポスター背景色として記憶部１２から取得する。
【００４３】
ただし、背景色取得部３５は、ユーザーにより選択された印刷モードが通常印刷であるにもかかわらず壁色が指定されなかった場合、ユーザーにより選択された印刷モードが糊しろ付き印刷であるにもかかわらず用紙の紙色が指定されなかった場合、又はユーザーにより選択された印刷モードが重ね有り印刷である場合には、ポスター背景色が指定されていないと判断する。この場合、背景色取得部３５は、ポスター背景色を取得しない。
【００４４】
次に、制御部１５が原稿画像から繋ぎ目を求める処理について説明する。
始めに、複数の印刷物を繋ぎ合わせてポスターを作成するために、複数の印刷物の繋ぎ合わせ方によって３種類の印刷モードがあることについて説明する。
【００４５】
図５は、３種類の印刷モードにより印刷された印刷物の例を示す説明図である。ここでは、２枚の用紙Ｐ１，Ｐ２を並べて繋ぎ合わて１枚のポスターを作成する場合における、用紙Ｐ１，Ｐ２に画像を印刷するための印刷モードについて説明する。
【００４６】
図５の左側に示す「通常印刷」は、用紙Ｐ１の右端と、用紙Ｐ２の左端とを隙間なく繋げて貼ることで１枚のポスターを作成することを可能とする印刷モードである。用紙Ｐ１，Ｐ２には余白が設けられていないため、貼り合わせ方によっては用紙Ｐ１，Ｐ２の間に生じた隙間から見える、用紙Ｐ１，Ｐ２が貼られる壁の色が目立つことがある。
【００４７】
図５の中央に示す「糊しろ付き印刷」は、用紙Ｐ２の左端に設けた余白（図中に一点鎖線で示す矩形枠部分）を糊しろとして使い、この糊しろの上に用紙Ｐ１の右端を重ねて貼ることで１枚のポスターを作成することを可能とする印刷モードである。この印刷モードでは、用紙Ｐ２に設けられた糊しろの上に正しく用紙Ｐ１を重ねて貼られなければ、残った糊しろ部分の紙色が目立つことがある。
【００４８】
図５の右側に示す「重なり有り印刷」は、用紙Ｐ２の余白（図中に一点鎖線で示す矩形枠部分）に原稿画像を延長して印刷することで、この用紙Ｐ２の上に用紙Ｐ１の右端を重ねて貼ることで１枚のポスターを作成することを可能とする印刷モードである。この印刷モードでは、用紙Ｐ２の余白に原稿画像の一部が延長して印刷されるため、繋ぎ合わせた用紙Ｐ１，Ｐ２の画像のズレが目立ちにくい。
【００４９】
ユーザーは、例えば、操作表示部２２を操作してポスター印刷に使用される印刷モードを選択する。ただし、印刷モードの選択は、画像形成装置１０に接続されたＰＣ端末２から行ってもよい。そして、ユーザーにより選択された印刷モードは、例えば、記憶部１２に記憶され、画像処理部１１により適宜読み出される。
【００５０】
ユーザーが印刷モードとして「通常印刷」を選択した場合、さらに、ユーザーは、ポスターを貼り付ける壁の色、すなわち「壁色」を指定択可能である。これにより、繋ぎ目位置決定部３３は、通常印刷により印刷された印刷物を並べて繋ぎ合わせた際に用紙Ｐ１，Ｐ２の間に生じる隙間から見える壁の色を考慮した繋ぎ目位置を決定することができる。
【００５１】
また、ユーザーが印刷モードとして「糊しろ付き印刷」を選択した場合は、印刷する用紙の色、すなわち「紙色」を指定可能である。これにより、繋ぎ目位置決定部３３は、用紙Ｐ２に設けた糊しろの上に用紙Ｐ１の右端が重ねて繋ぎ合わせた際に、用紙Ｐ２の残った糊しろ部分から見える紙色を考慮した繋ぎ目位置を決定することができる。
【００５２】
次に、ポスターを分割して印刷する際の印刷物の繋ぎ目位置を決定するために必要となる、第１領域及び第２領域、並びに顕著性マップについて説明する。本実施の形態では、顕著度が高い箇所を印刷物の繋ぎ目位置としないように原稿画像内の繋ぎ目が決定される。
【００５３】
始めに、第１領域について説明する。
図６は、第１領域４２の例を示す説明図である。第１領域特定部３１は、記憶部１２から読み出した原稿画像４１に対して、繋ぎ目を配置できる第１領域４２を特定する。
【００５４】
図６の左側には、記憶部１２に記憶される原稿画像４１の例が示される。この原稿画像４１には、例えば、湖岸の風景が描かれている。図中に一点鎖線で表す矩形枠の一つずつを用紙Ｐの大きさとする。そして、用紙Ｐが隣り合う端が繋ぎ目位置となる。原稿画像４１の大きさは、画像形成装置１０により印刷可能な用紙Ｐより大きいため、４枚の用紙Ｐに原稿画像４１を分割して印刷した後、縦２枚、横２枚の合わせて４枚の用紙Ｐを並べて貼ることで１枚のポスターを作成することができる。
【００５５】
ここで、第１領域を特定する前提として、原稿画像４１をシフトする例について説明する。
図７は、平面に並べた４枚の用紙Ｐ内で原稿画像４１をシフトさせる例を示す説明図である。
【００５６】
４枚の用紙Ｐを繋ぎ合わせて原稿画像４１の大きさでポスターを作成する際、例えば、平面に並べた４枚の用紙Ｐ内で原稿画像４１をシフトさせることが可能な位置を求める必要がある。図７の（１）には、４枚の用紙Ｐの左下に原稿画像４１を配置した例が示され、図７の（２）には、４枚の用紙Ｐの左上に原稿画像４１を配置した例が示される。また、図７の（３）には、４枚の用紙Ｐの右上に原稿画像４１を配置した例が示され、図７の（４）には、４枚の用紙Ｐの右下に原稿画像４１を配置した例が示される。
【００５７】
このように４枚の用紙Ｐ内で原稿画像４１をシフト可能な領域が、図６の右側に示す第１領域４２として特定される。第１領域４２は、例えば、図６の右側に示す原稿画像４１の上に略十字状の斜線部分で表される。
【００５８】
次に、顕著性マップを作成して特定される第２領域について説明する。
図８は、原稿画像４１から作成される顕著性マップ５１と、顕著性マップ５１から特定される第２領域５２の例を示す説明図である。顕著性マップ５１は、カラーの原稿画像４１から作成される。
【００５９】
顕著度算出部３２は、図８の左側に示す原稿画像４１に基づいて、図８の中央に示す顕著性マップ５１を作成する。顕著性マップ５１では、色が黒いほど顕著度が低く、色が白いほど顕著度が高いことが示される。そして、第２領域特定部３４は、顕著性マップ５１に基づいて、予め定めた閾値よりも顕著度が高い領域を第２領域５２として特定する。
【００６０】
図８の右側には、第２領域特定部３４により特定された第２領域５２が示される。顕著性マップ５１内には、複数の第２領域５２が特定される。第２領域５２は、顕著度が高い領域であるため、第２領域５２に用紙Ｐの繋ぎ目が配置されると、用紙Ｐを繋ぎ合わせたときに繋ぎ目が目立ってしまう。このため、第２領域５２は、用紙Ｐの繋ぎ目を配置すべきでない領域と言える。
【００６１】
次に、用紙Ｐの繋ぎ目位置を決定する例について説明する。
図９は、ポスター背景色の指定がない場合に決定される用紙Ｐの繋ぎ目位置の例を示す説明図である。
【００６２】
ポスター背景色の指定がなければ、繋ぎ目位置決定部３３は、第１領域４２を通り、かつ、第２領域５２を通らない繋ぎ目を原稿画像４１に引いた場合に、この繋ぎ目に属する画素の顕著度の合計値が最も小さくなる位置を繋ぎ目位置として決定する。図９の左側には、４枚の用紙Ｐの右上に、第１領域４２及び第２領域５２が同時に表示された原稿画像４１の例が示される。このように４枚の用紙Ｐ内に原稿画像４１が配置されると、用紙Ｐの繋ぎ目は、第１領域４２を通り、かつ第２領域５２を通らない。このように第１領域４２を通り、かつ第２領域５２を通らない位置が繋ぎ目位置として決定される。
【００６３】
図９の右側に示す原稿画像４１の繋ぎ目位置は、４枚の用紙Ｐが貼られた際に、用紙Ｐの端が目立たない位置である。このため、複数枚の用紙Ｐにより作成する原稿画像４１のポスターを視認する人間にとって繋ぎ目が見えにくくなる。
【００６４】
図１０は、ポスター背景色に白色が指定された場合に、白色の繋ぎ目を描画した原稿画像に基づいて顕著性マップを作成する例を示す説明図である。ここで指定されるポスター背景色は、例えば、壁色、又は紙色のいずれかである。
【００６５】
図１０の左側に示す原稿画像４１には、原稿画像４１の中央に配置された縦の白線４３と、横の白線４４とが重ねて表示される。白線４３，４４として表される白色は、いずれもポスターが貼られる壁の壁色、又は紙色と同じ色であり、背景色取得部３５により取得された色である。
【００６６】
繋ぎ目位置決定部３３は、ユーザーによるポスター背景色の指定がある場合、ポスター背景色に指定された色に基づいて白線４３，４４を原稿画像４１に描画する。そして、繋ぎ目位置決定部３３は、第１領域４２を通り、かつ第２領域５２を通らない全ての繋ぎ目に関して、繋ぎ目として表される白線４３，４４を描画した原稿画像４１から求めたエッジ情報、色相情報、輝度情報により顕著性マップ５１を作成する。そして、繋ぎ目位置決定部３３は、この繋ぎ目に属する画素の顕著度の合計値が最も小さくなる位置を繋ぎ目位置として決定する。
【００６７】
図１０の右側に示す顕著性マップ５１には、顕著度が高い第２領域５３，５４が表される。第２領域５３は、原稿画像４１に描画された白線４３に対応する位置にあり、第２領域５４は、原稿画像４１に描画された白線４４に対応する位置にある。このようにポスター背景色に指定された色を予め原稿画像４１に繋ぎ目として描画することで、繋ぎ目の顕著度を確かめることができる。そして、繋ぎ目位置決定部３３は、繋ぎ目の顕著度が閾値よりも高ければ、第１領域４２を通り、かつ、第２領域５２を通らない位置に繋ぎ目をシフトさせ、繋ぎ目の顕著度が閾値よりも低くなる位置を探し、繋ぎ目位置を決定する。これにより、壁面に貼った印刷物の繋ぎ目を目立たなくすることができる。
【００６８】
次に、印刷物の繋ぎ目位置を決定する処理について、図１１〜図１３を参照して説明する。
図１１は、印刷物の繋ぎ目位置を決定する処理の例を示すフローチャートである。
【００６９】
始めに、第１領域特定部３１は、原稿画像４１に繋ぎ目を配置可能な第１領域４２（図６を参照）を特定する（Ｓ１）。次に、顕著度算出部３２は、原稿画像４１の顕著性マップ５１を作成する（Ｓ２）。顕著度算出部３２が顕著性マップ５１を作成する処理は、後述する図１２にて詳細な内容を説明する。
【００７０】
ステップＳ２の後、第２領域特定部３４は、作成した顕著性マップ５１において、顕著度が閾値より高い第２領域５２を特定する（Ｓ３）。次に、背景色取得部３５は、操作表示部２２より指定され、記憶部１２に記憶されているポスター背景色を取得する（Ｓ４）。背景色取得部３５がポスター背景色を取得する処理は、後述する図１３にて詳細な内容を説明する。
【００７１】
ステップＳ４の後、繋ぎ目位置決定部３３は、ポスター背景色が指定されているか否かを判断する（Ｓ５）。ポスター背景色が指定されていないと判断した場合（Ｓ５のＮＯ）、繋ぎ目位置決定部３３は、第１領域４２を通り、かつ第２領域５２を通らない繋ぎ目を顕著性マップ５１に引いた場合に、繋ぎ目に属する画素の顕著度の合計値が最も低くなる位置を繋ぎ目位置として決定する（Ｓ６）。そして、繋ぎ目位置決定部３３は、ステップＳ１１の処理に移る。
【００７２】
一方、ステップＳ５にて、ポスター背景色が指定されたと判断した場合（Ｓ５のＹＥＳ）、第１領域４２を通り、かつ第２領域５２を通らない全ての繋ぎ目に関して、ステップＳ８，Ｓ９の処理を繰り返す（Ｓ７）。
【００７３】
このとき、顕著度算出部３２は、原稿画像４１にポスター背景色の繋ぎ目を描画した画像に関して、顕著性マップ５１を作成する（Ｓ８）。ステップＳ８における顕著性マップ５１を作成する処理は、ステップＳ２における顕著性マップ５１を作成する処理と同じである。そして、繋ぎ目位置決定部３３は、繋ぎ目に属する画素の顕著度の合計値を計算する（Ｓ９）。
【００７４】
第１領域４２を通り、かつ第２領域５２を通らない全ての繋ぎ目に関して、ステップＳ８，Ｓ９の処理の繰り返しが終わると、繋ぎ目位置決定部３３は、ステップＳ９にて計算した、繋ぎ目に属する画素の顕著度の合計値が最も小さくなる位置を繋ぎ目位置として決定する（Ｓ１０）。
【００７５】
そして、繋ぎ目位置決定部３３は、繋ぎ目位置を決定したか否かを判断する（Ｓ１１）。繋ぎ目位置を決定したと判断した場合（Ｓ１１のＹＥＳ）、本処理を終了する。一方、繋ぎ目位置を決定していないと判断した場合（Ｓ１１のＮＯ）、第２領域特定部３４は、現在の閾値より高い閾値を設定し（Ｓ１２）、ステップＳ３に戻り、ステップＳ３以降の処理を続ける。繋ぎ目位置を決定できない場合とは、例えば、現在の閾値が低いことから、顕著性マップ５１の至る所に第２領域５２が出現した場合である。この場合、第２領域特定部３４が、現在の閾値より高い閾値を設定することで、顕著性マップ５１に出現する第２領域５２の数を減らし、繋ぎ目位置を決定しやすくなる。
【００７６】
図１２は、顕著度算出部３２が顕著性マップ５１を作成する処理の例を示すフローチャートである。図１２に示す本処理は、図１１のステップＳ２，Ｓ８にて行われる。
【００７７】
始めに、顕著度算出部３２は、原稿画像４１に対してガウシアンフィルタを用いてガウシアンピラミッドを作成する（Ｓ２１）。ガウシアンフィルタとは、注目画素と、注目画素の周辺画素の値から、ガウス分布関数に基づいた加重平均値を計算し、加重平均値を処理後の画素値とする平均化処理である。ガウシアンピラミッドとは、例えば、画像のサイズを１／４ずつ小さくして得られる異なる解像度を持つ画像の集合である。
【００７８】
次に、顕著度算出部３２は、ガウシアンピラミッドの全ての画像を、原稿画像４１と同じサイズに拡大し、原稿画像４１と同じサイズに拡大した画像群を第１画像群とする（Ｓ２２）。次に、顕著度算出部３２は、第１画像群の各画像に対してガボールフィルタを用いてエッジを抽出した第２画像群を作成する（Ｓ２３）。ガボールフィルタとは、例えば、画像中に含まれるエッジの向き（縦、横、斜め等）を抽出するために用いられる。そして、第２画像群は、ガウシアンピラミッドに含まれる各画像のエッジ情報として用いられる。
【００７９】
次に、顕著度算出部３２は、第１画像群の各画像に対して輝度を計算した第３画像群を作成する（Ｓ２４）。第３画像群は、ガウシアンピラミッドに含まれる各画像の輝度情報として用いられる。
【００８０】
次に、顕著度算出部３２は、第１画像群の各画像に対してＲ（赤）、Ｇ（緑）、Ｂ（青）、Ｙ（黄）の色相成分を抽出した第４画像群を作成する（Ｓ２５）。次に、顕著度算出部３２は、第４画像群からＲ（赤）とＧ（緑）の色相成分の差分を抽出して第５画像群を作成する（Ｓ２６）。次に、顕著度算出部３２は、第４画像群からＢ（青）とＹ（黄）の色相成分の差分を抽出して第５画像群を作成する（Ｓ２７）。第４画像群、第５画像群及び第６画像群は、ガウシアンピラミッドに含まれる各画像の色情報として用いられる。
【００８１】
そして、顕著度算出部３２は、第２画像群のエッジ情報、第３画像群の輝度情報、第５画像群及び第６画像群の色相情報を正規化して合算することで、画像全体のエッジ、輝度、色相を考慮した各画素の顕著度を計算した顕著性マップ５１を作成する（Ｓ２８）。ただし、顕著度算出部３２は、第２画像群のエッジ情報、第３画像群の輝度情報、第５画像群及び第６画像群の色相情報の少なくとも一つに基づいて単位領域毎に顕著度を算出し、顕著性マップ５１を作成することも可能である。
【００８２】
図１３は、背景色取得部３５が記憶部１２からポスター背景色を取得する処理の例を示すフローチャートである。図１３に示す本処理は、図１１のステップＳ４にて行われる。
【００８３】
始めに、背景色取得部３５は、印刷モードとして通常印刷が設定されているか否かを判断する（Ｓ３１）。通常印刷が設定されていると判断した場合、背景色取得部３５は、ユーザーにより指定された、印刷物が貼られる壁の壁色をポスター背景色として記憶部１２から取得し（Ｓ３２）、本処理を終了する。
【００８４】
一方、ステップＳ３１にて通常印刷が設定されていないと判断した場合、背景色取得部３５は、印刷モードとして糊しろ付き印刷が設定されているか否かを判断する（Ｓ３３）。糊しろ付き印刷が設定されていると判断した場合、背景色取得部３５は、ユーザーにより指定された用紙Ｐの紙色をポスター背景色として記憶部１２から取得し（Ｓ３４）、本処理を終了する。
【００８５】
一方、ステップＳ３３にて糊しろ付き印刷が設定されていないと判断した場合、背景色取得部３５は、ポスター背景色を無しとして（Ｓ３５）、本処理を終了する。
【００８６】
以上説明した第１の実施の形態に係る画像形成装置１０では、複数の印刷物を繋ぎ合わせて１枚のポスターを作成するポスター印刷において、原稿画像４１の全体から得たエッジ情報、輝度情報、及び色相情報に基づいて、人間の視覚的な注目しやすさを示す顕著度と、顕著度が閾値を超える部分の位置情報を取得する。そして、画像形成装置１０は、顕著度が高い位置を通らないような繋ぎ目位置を決定するため、原稿画像４１の全体で人間の視覚的に顕著な反応を示す第２領域５２を避けた位置で印刷物の繋ぎ目ができる。このため、壁等に複数の印刷物を繋ぎ合わせて貼った際に、人間がポスター全体を見たときの、繋ぎ目による視認性の低下を防ぐことができる。
【００８７】
＜第２の実施の形態＞
次に、本発明の第２の実施の形態に係る画像形成システムについて説明する。本実施の形態では、情報処理装置の一例として用いられるプリントコントローラーがポスター印刷ジョブに基づいて、複数の印刷物の繋ぎ目位置を決定する。
【００８８】
図１４は、画像形成システム１Ａの構成例を示す概要図である。
画像形成システム１Ａは、通信ネットワークＮに接続されたＰＣ端末２と画像形成装置１０に加えて、プリントコントローラー３（情報処理装置の一例）を備える。
【００８９】
プリントコントローラー３は、ＰＣ端末２から送信されたポスター印刷ジョブに基づいて画像形成装置１０が作成する複数の印刷物に対して、人間の視認性が悪化しないような位置に複数の印刷物の繋ぎ目位置を決定する。そして、プリントコントローラー３は、ポスター印刷ジョブを画像形成装置１０に送信し、決定した繋ぎ目位置を画像形成装置１０に指示する。これにより、画像形成装置１０は、プリントコントローラー３により決定された繋ぎ目位置で複数の印刷物を作成することができる。
【００９０】
図１５は、プリントコントローラー３の内部構成例を示すブロック図である。
プリントコントローラー３は、操作表示部６１、記憶部６２、ジョブ受信部６３、画像処理部６４及びジョブ送信部６５を備える。
【００９１】
操作表示部６１は、例えば、ＬＣＤ等を含むタッチパネルで構成されており、ユーザーによる操作、及び情報の表示が可能である。本実施の形態では、操作表示部２２が、ユーザーによるポスター背景色を指定するために用いられる。
【００９２】
記憶部６２は、例えば、ＲＡＭ、ＨＤＤ等であり、ジョブ受信部６３が受信したポスター印刷ジョブ、画像処理部６４が処理を行った原稿画像等の各種データを記憶する。また、記憶部６２は、操作表示部６１を通じて指定されたポスター背景色も記憶する。
【００９３】
画像処理部６４は、記憶部６２に記憶されたポスター印刷ジョブから取出した原稿画像に対して所定の処理を行う。なお、画像処理部６４が行う処理は、ジョブ受信部６３がポスター印刷ジョブを受信すると直ちに行われてもよい。この画像処理部６４は、第１領域特定部７１、顕著度算出部７２、繋ぎ目位置決定部７３、第２領域特定部７４、背景色取得部７５を備える。画像処理部６４が備える各部の処理は、上述した第１の実施の形態に係る画像処理部１１が備える各部の処理と同様である。このため、以下に画像処理部６４が備える各部の処理を簡潔に説明する。
【００９４】
第１領域特定部７１は、ポスター印刷ジョブから取出した原稿画像に基づいて、複数の印刷物の繋ぎ目を配置可能な第１領域を特定する。
顕著度算出部７２は、原稿画像に含まれ、位置が特定される単位領域毎に原稿画像の全体に対する顕著度を算出する。
繋ぎ目位置決定部７３は、第１領域特定部７１により特定された第１領域を通り、かつ、顕著度が高い単位領域を通らない位置を、繋ぎ目を配置する繋ぎ目位置として決定する。
第２領域特定部７４は、原稿画像にて、予め規定される閾値よりも顕著度が高い第２領域を特定する。
背景色取得部７５は、操作表示部２２を通じてユーザーにより指定されたポスター背景色を取得する。
【００９５】
そして、ジョブ送信部６５は、記憶部６２から読み出したポスター印刷ジョブを画像形成装置１０に送信すると共に、繋ぎ目位置決定部７３により決定された複数の印刷物の繋ぎ目位置を画像形成装置１０に指示する。
【００９６】
画像形成装置１０は、ジョブ送信部６５から受信したポスター印刷ジョブに基づいて印刷物を作成する。画像形成装置１０が作成する印刷物には、繋ぎ目位置決定部７３により決定された繋ぎ目位置に繋ぎ目が設けられる。
【００９７】
以上説明した第２の実施の形態に係るプリントコントローラー３では、原稿画像の顕著度を算出し、繋ぎ目位置を決定する。そして、画像形成装置１０は、プリントコントローラー３により決定された繋ぎ目位置で複数の印刷物を作成する。このため、壁等に複数の印刷物を繋ぎ合わせて貼った際に、人間がポスター全体を見たときの、繋ぎ目による視認性の低下を防ぐことができる。
【００９８】
なお、上述した第１及び第２の実施の形態では顕著度を算出し、繋ぎ目位置を決定するために顕著性マップ５１を用いているが、原稿画像をブロックに分割して、ブロック毎に顕著度を算出する等により、繋ぎ目位置を決定してもよい。
【００９９】
また、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置及びシステムの構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１００】
１…画像形成システム、２…ＰＣ端末、３…プリントコントローラー、１０…画像形成装置、１１…画像処理部、１２…記憶部、１３…印刷処理部、１４…ジョブ受信部、１５…制御部、２２…操作表示部、３１…第１領域特定部、３２…顕著度算出部、３３…繋ぎ目位置決定部、３４…第２領域特定部、３５…背景色取得部、４１…原稿画像、４２…第１領域、５２…第２領域
【図１】
2019119164.tif 000003
【図２】
2019119164.tif 000004
【図３】
2019119164.tif 000005
【図４】
2019119164.tif 000006
【図５】
2019119164.tif 000007
【図６】
2019119164.tif 000008
【図７】
2019119164.tif 000009
【図８】
2019119164.tif 000010
【図９】
2019119164.tif 000011
【図１０】
2019119164.tif 000012
【図１１】
2019119164.tif 000013
【図１２】
2019119164.tif 000014
【図１３】
2019119164.tif 000015
【図１４】
2019119164.tif 000016
【図１５】
2019119164.tif 000017